(57)【要約】【課題】情報を表示させながら携帯端末装置を容易に充電させることが可能な情報表示装置を提供する。【解決手段】本実施の形態に係る情報表示装置は、情報を表示する表示部と、表示部への情報表示を制御する表示制御部と、蓋部と、を備える。蓋部は、表示部における表示面を覆う第一状態と、表示面を露出させ且つ携帯端末装置を載置することが可能な第二状態と、の間で変化させる機構を有するとともに、携帯端末装置を載置させた状態で携帯端末装置に充電を行う非接触充電部を有する。表示制御部は、蓋部が第二状態である場合に、表示部へ情報を表示させる制御を行う。情報表示装置は、非接触充電部による充電を制御する充電制御部を備え、充電制御部は、蓋部が第二状態で且つ蓋部に携帯端末装置が載置された場合、携帯端末装置への充電処理を行うよう非接触充電部を制御する。【選択図】図１
2020019454.tif 000002
【特許請求の範囲】
【請求項１】
情報を表示する表示部と、
前記表示部における表示面を覆う第一状態と、前記表示面を露出させ且つ携帯端末装置を載置することが可能な第二状態と、の間で変化させる機構を有するとともに、前記携帯端末装置を載置させた状態で前記携帯端末装置に充電を行う非接触充電部を有する蓋部と、
前記表示部への情報表示を制御する表示制御部と、
前記非接触充電部による充電を制御する充電制御部と、
を備え、
前記表示制御部は、前記蓋部が前記第二状態である場合に、前記表示部へ情報を表示させる制御を行い、
前記充電制御部は、前記蓋部が前記第二状態で且つ前記蓋部に前記携帯端末装置が載置された場合、前記携帯端末装置への充電処理を行うよう前記非接触充電部を制御する、
情報表示装置。
【請求項２】
前記表示制御部は、前記蓋部が前記第二状態である場合で且つ前記蓋部に前記携帯端末装置が載置された場合、前記表示部に前記携帯端末装置から受信した情報を表示させる、
請求項１に記載の情報表示装置。
【請求項３】
前記携帯端末装置は、端末側表示面でのタッチ操作を受け付ける端末側操作部を備え、
前記情報表示装置は、前記表示面でのタッチ操作を受け付ける操作部と、前記表示部に表示された情報に対する操作を制御する操作制御部と、をさらに備え、
前記操作制御部は、
前記蓋部が前記第二状態である場合で且つ前記蓋部に前記携帯端末装置が載置されていない場合、前記操作部によるタッチ操作を前記操作として制御し、
前記蓋部が前記第二状態である場合で且つ前記蓋部に前記携帯端末装置が載置された場合、前記携帯端末装置の前記端末側操作部によるタッチ操作を前記操作として制御する、
請求項１又は２に記載の情報表示装置。
【請求項４】
前記操作制御部は、前記蓋部が前記第二状態である場合で且つ前記携帯端末装置が載置された場合、前記操作部によるタッチ操作を無効にする、
請求項３に記載の情報表示装置。
【請求項５】
前記第一状態は、前記蓋部の前記携帯端末装置を載置する側の面が前記表示面と同じ方向を向くように配置される状態を指し、
前記第二状態は、前記蓋部が前記表示面に直交して配置される状態を指す、
請求項１〜４のいずれか１項に記載の情報表示装置。
【請求項６】
情報を表示する表示部と、
前記表示部における表示面を覆う第一状態と、前記表示面を露出させ且つ携帯端末装置を載置することが可能な第二状態と、の間で変化させる機構を有するとともに、前記携帯端末装置を載置させた状態で前記携帯端末装置に充電を行う非接触充電部を有する蓋部と、
を備えた情報表示装置における情報表示方法であって、
前記蓋部が前記第二状態である場合に、前記表示部へ情報を表示させる制御を行うステップと、
前記蓋部が前記第二状態で且つ前記蓋部に前記携帯端末装置が載置された場合、前記携帯端末装置への充電処理を行うよう前記非接触充電部を制御するステップと、
を有する、
情報表示方法。
【請求項７】
情報を表示する表示部と、
前記表示部における表示面を覆う第一状態と、前記表示面を露出させ且つ携帯端末装置を載置することが可能な第二状態と、の間で変化させる機構を有するとともに、前記携帯端末装置を載置させた状態で前記携帯端末装置に充電を行う非接触充電部を有する蓋部と、
を備えた情報表示装置に、
前記蓋部が前記第二状態である場合に、前記表示部へ情報を表示させる制御を行うステップと、
前記蓋部が前記第二状態で且つ前記蓋部に前記携帯端末装置が載置された場合、前記携帯端末装置への充電処理を行うよう前記非接触充電部を制御するステップと、
を実行させるためのプログラム。
【発明の詳細な説明】
【技術分野】
【０００１】
本発明は、情報表示装置、情報表示方法、及びプログラムに関する。
【背景技術】
【０００２】
従来から、自動車のダッシュボード付近に表示部が配置されるようにカーナビゲーションシステムが設けられている。例えば、特許文献１には、表示部を有する可動パネルがアクチュエータの作動により起立位置と上向きの水平位置との間で開閉運動するパネル装置が開示されている。
【先行技術文献】
【特許文献】
【０００３】
【特許文献１】特開２００９−２７４６７６号公報
【発明の概要】
【発明が解決しようとする課題】
【０００４】
ところで、昨今、携帯電話機（スマートフォンと称されるものも含む）等の携帯端末装置を自動車内の表示装置に接続し、自動車内の表示装置で携帯端末装置の機能が利用できる表示装置もある。このような利用形態であっても、携帯端末装置に対しては自動車内で充電を行う必要性がある。
【０００５】
しかしながら、自動車内で携帯端末装置を充電する際には充電用の接続ケーブルを挿し、その接続ケーブルを介して携帯端末装置を充電する必要がある。なお、特許文献１に記載のパネル装置をカーナビゲーションシステムの一部として用いた場合でも、地図情報などがそのパネル装置の表示部に表示できるが、携帯端末装置への充電に関してそのパネル装置は無関係に動作する。したがって、情報を表示させる情報表示装置において携帯端末装置をより簡易な方法で充電できるようにするとともに、充電中であっても携帯端末装置を有効活用する手法が望まれる。
【０００６】
本開示は、上記の点に鑑みなされたもので、情報を表示させながら携帯端末装置を容易に充電させることが可能な情報表示装置、情報表示方法、及びプログラムを提供することを目的とする。
【課題を解決するための手段】
【０００７】
本実施の形態に係る情報表示装置は、情報を表示する表示部と、前記表示部における表示面を覆う第一状態と、前記表示面を露出させ且つ携帯端末装置を載置することが可能な第二状態と、の間で変化させる機構を有するとともに、前記携帯端末装置を載置させた状態で前記携帯端末装置に充電を行う非接触充電部を有する蓋部と、前記表示部への情報表示を制御する表示制御部と、前記非接触充電部による充電を制御する充電制御部と、を備え、前記表示制御部は、前記蓋部が前記第二状態である場合に、前記表示部へ情報を表示させる制御を行い、前記充電制御部は、前記蓋部が前記第二状態で且つ前記蓋部に前記携帯端末装置が載置された場合、前記携帯端末装置への充電処理を行うよう前記非接触充電部を制御する、ことを特徴とするものである。
【０００８】
本実施の形態に係る情報表示方法は、情報を表示する表示部と、前記表示部における表示面を覆う第一状態と、前記表示面を露出させ且つ携帯端末装置を載置することが可能な第二状態と、の間で変化させる機構を有するとともに、前記携帯端末装置を載置させた状態で前記携帯端末装置に充電を行う非接触充電部を有する蓋部と、を備えた情報表示装置における情報表示方法であって、前記蓋部が前記第二状態である場合に、前記表示部へ情報を表示させる制御を行うステップと、前記蓋部が前記第二状態で且つ前記蓋部に前記携帯端末装置が載置された場合、前記携帯端末装置への充電処理を行うよう前記非接触充電部を制御するステップと、を有する、ことを特徴とするものである。
【０００９】
本実施の形態に係るプログラムは、情報を表示する表示部と、前記表示部における表示面を覆う第一状態と、前記表示面を露出させ且つ携帯端末装置を載置することが可能な第二状態と、の間で変化させる機構を有するとともに、前記携帯端末装置を載置させた状態で前記携帯端末装置に充電を行う非接触充電部を有する蓋部と、を備えた情報表示装置に、前記蓋部が前記第二状態である場合に、前記表示部へ情報を表示させる制御を行うステップと、前記蓋部が前記第二状態で且つ前記蓋部に前記携帯端末装置が載置された場合、前記携帯端末装置への充電処理を行うよう前記非接触充電部を制御するステップと、を実行させるためのプログラムである。
【発明の効果】
【００１０】
本開示によれば、情報を表示させながら携帯端末装置を容易に充電させることが可能な情報表示装置、情報表示方法、及びプログラムを提供することができる。
【図面の簡単な説明】
【００１１】
【図１】実施の形態１に係る情報表示装置の一構成例を示すブロック図である。
【図２】図１における情報表示装置で充電される携帯端末装置の一構成例を示すブロック図である。
【図３】図１における情報表示装置の第一状態における一例を示す正面図である。
【図４】図１における情報表示装置の第二状態における一例を示す斜視図である。
【図５】図４における情報表示装置において携帯端末装置を載置した様子の一例を示す斜視図である。
【図６】図１における情報表示装置の自動車内での設置場所の一例を示す概略図である。
【図７】図１における情報表示装置で実行される処理の一例を説明するためのフロー図である。
【図８】実施の形態２に係る情報表示装置で実行される処理の一例を説明するためのフロー図である。
【図９】実施の形態３に係る情報表示装置で実行される処理の一例を説明するためのフロー図である。
【図１０】情報表示装置に含まれるハードウェア構成の一例を示す図である。
【発明を実施するための形態】
【００１２】
＜実施の形態１＞
本実施の形態に係る情報表示装置について、図１〜図７を参照しながら説明する。図１は、本実施の形態に係る情報表示装置の一構成例を示すブロック図で、図２は、その情報表示装置で充電される携帯端末装置の一構成例を示すブロック図である。
【００１３】
図１に示すように、本実施の形態に係る情報表示装置１は、情報を表示する第一表示部２２を備えるとともに、前方パネル駆動部２４、前方パネル２５、及び送電部２６で例示する蓋部２８を備える。また、本実施の形態に係る情報表示装置１は、その全体を制御する制御部１０を備えることができる。さらに、情報表示装置１は、第一記憶部２１、第一操作部２３、及び第一通信部２７を備えることができる。
【００１４】
なお、第一表示部２２、第一記憶部２１、第一操作部２３、及び第一通信部２７、並びに制御部１０内の一部の部位においては、部位の頭に「第一」を付している。同様に、携帯端末装置３側の一部の部位においては、部位の頭に「第二」を付している。これらは、情報表示装置１側の部位と携帯端末装置３側の部位とを区別のために便宜上、付したものに過ぎない。
【００１５】
制御部１０は、第一コンテンツ制御部１１、第一表示制御部１２、第一操作制御部１３、パネル動作制御部１４、送電制御部１６、及び第一通信制御部１７を有することができる。
【００１６】
制御部１０又はその一部は、例えば、ＣＰＵ（Central Processing Unit）、作業用メモリ、及び不揮発性の記憶装置などによって、或いは集積回路（Integrated Circuit）によって実現される。この記憶装置にＣＰＵによって実行される制御用のプログラムを格納しておき、ＣＰＵがそのプログラムを作業用メモリに読み出して実行することで、制御部１０又はその一部の機能を果たすことができる。第一記憶部２１は、この記憶装置の一部とすることもできる。
【００１７】
第一記憶部２１は、例えば半導体メモリ、ハードディスク等の記憶装置によって実現することができ、情報表示装置１において第一表示部２２で表示させるコンテンツ等を記憶することができる。第一コンテンツ制御部１１は、第一記憶部２１に記憶されたコンテンツに再生処理を施し、映像コンテンツの場合には第一表示制御部１２及び図示しない音声制御部に渡し、音声コンテンツの場合にはその音声制御部に渡す。これにより、映像コンテンツが第一表示部２２及び図示しないスピーカ等の音声出力部から出力され、音声コンテンツがその音声出力部から出力されることになる。第一コンテンツ制御部１１は、後述する第一通信部２７又は他の通信手段を用いて、他の記憶装置からコンテンツ等を取得して再生処理を行ってもよい。
【００１８】
第一表示部２２は、情報を表示できればよく、一般的に情報を画像として表示するため画像表示部と称することもできる。第一表示部２２は、主に、液晶パネルや有機ＥＬ（Electro-Luminescence）パネルなどの表示パネルで構成することができる。第一表示部２２は、上述した第一記憶部２１に記憶されたコンテンツの画像、その他の情報表示装置１の内部で生成された画像、或いは外部から受信した画像などを表示する。なお、上記画像には静止画像だけでなく動画像（映像）も含まれるものとする。第一表示制御部１２は、第一表示部２２に情報を表示させる制御を行う。つまり、第一表示制御部１２は、第一表示部２２への情報表示を制御する。
【００１９】
第一操作部２３は、第一表示部２２の表示面でのタッチ操作を受け付ける操作部である。第一操作部２３は、第一表示部２２に組み込まれるか重ねられたタッチセンサを有することができ、ユーザは第一表示部２２の表示面をタッチすることで操作情報を入力することができる。なお、第一操作部２３は、ハードウェアキーを有することもできる。第一操作制御部１３は、第一表示部２２に表示された情報に対する操作を制御する部位である。第一操作制御部１３は、第一操作部２３から入力された操作情報を、その操作に関連する部位に渡し、その操作情報を反映させる制御を行うことができる。
【００２０】
前方パネル駆動部２４は、前方パネル２５を開閉するための駆動を行う。前方パネル２５は、閉めた状態で第一表示部２２を覆うような蓋状の部材とすることができ、その例及び開閉の方式の例については図３等を参照して後述する。パネル動作制御部１４は、前方パネル駆動部２４による駆動を、つまり前方パネル２５の動作を制御する。無論、前方パネル駆動部２４を設けず、前方パネル２５を手動で開閉させるような機構を採用することもできる。なお、情報表示装置１は、前方パネル駆動部２４の有無に拘わらず、前方パネル２５の開閉を検知するセンサなどを設けておくことができる。
【００２１】
送電部２６は、非接触充電部の一例であり、図２で例示する近接された携帯端末装置３に対し、携帯端末装置３のバッテリ４５を非接触で充電するために給電（送電）を行う。送電部２６は、例えば電磁誘導を利用して、携帯端末装置３側に送電を行うことができ、この送電の方式は問わない。送電制御部１６は、非接触充電部による携帯端末装置３への充電を制御する部位、つまり送電部２６による送電を制御する部位であり、以下、充電制御部１６と称する。
【００２２】
第一通信部２７は、携帯端末装置３との通信（後述する第二通信部４７との通信）を行う部位であり、通信インタフェースを有することができる。第一通信部２７及び第二通信部４７はいずれも、例えばＢｌｕｅｔｏｏｔｈ（登録商標）等の近距離無線通信方式の通信部とすることができるが、双方の通信方式が同じであれば、情報表示装置１と携帯端末装置３との間での情報のやりとりは可能となる。第一通信制御部１７は、第一通信部２７による通信を制御する。なお、情報表示装置１には、携帯端末装置３以外との通信を行うための通信部を別途設けておくことができる。
【００２３】
図２に示すように、情報表示装置１による非接触充電の対象となる携帯端末装置３は、受電部４６と、バッテリ４５で例示する蓄電部と、を備える。また、携帯端末装置３は、その全体を制御する制御部３０、第二記憶部４１、第二表示部４２、第二操作部４３、及び第二通信部４７を備えることができる。携帯端末装置３としては、携帯電話機（スマートフォンと称されるものも含む）、タブレット端末などが適用できるが、可搬型のＰＣ（Personal Computer）とすることもできる。
【００２４】
制御部３０は、第二コンテンツ制御部３１、第二表示制御部３２、第二操作制御部３３、受電制御部３６、及び第二通信制御部３７を有することができる。
【００２５】
制御部３０又はその一部は、例えば、ＣＰＵ、作業用メモリ、及び不揮発性の記憶装置などによって、或いは集積回路によって実現される。この記憶装置にＣＰＵによって実行される制御用のプログラムを格納しておき、ＣＰＵがそのプログラムを作業用メモリに読み出して実行することで、制御部３０又はその一部の機能を果たすことができる。第二記憶部４１は、この記憶装置の一部とすることもできる。
【００２６】
第二記憶部４１は、例えば半導体メモリ、ハードディスク等の記憶装置によって実現することができ、携帯端末装置３において第二表示部４２で表示させるコンテンツ等を記憶することができる。第二コンテンツ制御部３１は、第二記憶部４１に記憶されたコンテンツに再生処理を施し、映像コンテンツの場合には第二表示制御部３２及び図示しない音声制御部に渡し、音声コンテンツの場合にはその音声制御部に渡す。これにより、映像コンテンツが第二表示部４２及び図示しないスピーカ等の音声出力部から出力され、音声コンテンツがその音声出力部から出力されることになる。第二コンテンツ制御部３１は、後述する第二通信部４７又は他の通信手段を用いて、他の記憶装置からコンテンツ等を取得して再生処理を行ってもよい。
【００２７】
第二表示部４２は、情報を表示できればよく、一般的に情報を画像として表示するため画像表示部と称することもできる。第二表示部４２は、主に、液晶パネルや有機ＥＬパネルなどの表示パネルで構成することができる。第二表示部４２は、上述した第二記憶部４１に記憶されたコンテンツの画像、その他の携帯端末装置３の内部で生成された画像、或いは外部から受信した画像などを表示する。第二表示制御部３２は、第二表示部４２に情報を表示させる制御を行う。つまり、第二表示制御部３２は、第二表示部４２への情報表示を制御する。
【００２８】
第二操作部４３は、第二表示部４２の表示面でのタッチ操作を受け付ける操作部（端末側操作部）である。第二操作部４３は、第二表示部４２に組み込まれるか重ねられたタッチセンサを有することができ、ユーザは第二表示部４２の表示面をタッチすることで操作情報を入力することができる。なお、第二操作部４３は、ハードウェアキーを有することもできる。第二操作制御部３３は、第二表示部４２に表示された情報に対する操作を制御する部位である。第二操作制御部３３は、第二操作部４３から入力された操作情報を、その操作に関連する部位に渡し、その操作情報を反映させる制御を行うことができる。
【００２９】
受電部４６は、近接された送電部２６からの給電を受ける部位である。送電部２６について上述したように、送電部２６及び受電部４６による充電の方式は問わない。受電制御部３６は、受電部４６による受電を制御する部位であり、充電を制御するため、充電制御部と称することもできる。受電制御部３６は、例えば、バッテリ４５が満充電になった場合、受電部４６の機能を停止させるなどして受電を停止させるなどの制御を行うことができる。
【００３０】
第二通信部４７は、情報表示装置１との通信（第一通信部２７との通信）を行う部位であり、通信インタフェースを有することができる。第二通信制御部３７は、第二通信部４７による通信を制御する。なお、携帯端末装置３には、情報表示装置１以外との通信を行うための通信部を別途設けておくことができる。
【００３１】
次に、図３〜図６を併せて参照しながら、本実施の形態に係る情報表示装置１の蓋部２８に係わる部分について説明する。図３は、情報表示装置１の後述する第一状態における一例を示す正面図で、図４は、情報表示装置１の後述する第二状態における一例を示す正面側から見た斜視図である。また、図５は、図４における情報表示装置１において携帯端末装置３を載置した様子の一例を示す正面側から見た斜視図である。また、図６は、情報表示装置１の自動車内での設置場所の一例を示す概略図である。
【００３２】
蓋部２８は、送電部２６で例示した、携帯端末装置３を載置させた状態で携帯端末装置３に充電を行う非接触充電部を有する。また、蓋部２８は、前方パネル２５で例示した、例えば平板状等の部材を有する。図３及び図４で例示するように、前方パネル２５は、情報表示装置１の筐体１ａに設けられ、例えば位置２６ａの部分に送電部２６を収容しておくことができる。また、送電制御部１６もこの部材の内部に収容しておくことができる。この部材の内部には、第一通信部２７及び第一通信制御部１７の双方、又は第一通信部２７を収容しておくこともできる。
【００３３】
また、蓋部２８は、第一表示部２２における表示面２２ａを覆う第一状態と、表示面２２ａを露出させ且つ携帯端末装置３を載置することが可能な第二状態と、の間で、前方パネル２５で例示したこの部材を変化させる機構を有する。以下、この機構を開閉機構と称する。この開閉機構の、自動で開閉を行う機構の例が、前方パネル駆動部２４に該当する。パネル動作制御部１４は、第一状態と第二状態との間で、蓋部２８の動作を制御することになる。
【００３４】
第一状態は、図３で例示するような前方パネル２５を閉めた状態を指すことができる。第二状態は、図４で例示するような前方パネル２５を開けた状態を指すことができる。第二状態では、送電部２６による充電が可能となる。即ち、第一状態は、蓋部２８の携帯端末装置３を載置する側の面（位置２６ａに示すマークが表示されている面）が表示面２２ａと同じ方向を向くように配置される状態を指し、第二状態は、蓋部２８が表示面に直交して配置される状態を指すことができる。なお、第一状態、第二状態は、それぞれ第一モード、第二モードと称することができ、それぞれ第一形態、第二形態と称することもできる。
【００３５】
開閉機構における開閉の方式は基本的に問わず、例えば、図３及び図４で例示した変化を行わせる場合、開閉機構は、次のような機構となる。即ち、この場合の開閉機構は、前方パネル２５を開ける際（第一状態から第二状態へ移行させる場合）、前方パネル２５の上側を下に移動させながら前方パネル２５の下側を前方へ向けてスライドさせる機構となる。また、この場合の開閉機構は、前方パネル２５を閉める際（第二状態から第一状態へ移行させる場合）、その逆の動作を行わせるような機構となる。
【００３６】
第一状態及び第二状態は、このような状態に限ったものではない。但し、情報表示装置１の設置と携帯端末装置３の載置とを考慮し、第一状態は前方パネル２５が第一表示部２２の表示面２２ａに対向して配置される状態で、第二状態は前方パネル２５が第一表示部２２の表示面に直交して配置される状態であることが望ましい。そのような他の例として、第一状態は、蓋部２８の携帯端末装置３を載置する側の面が表示面に対向するように配置される状態を指し、第二状態は、蓋部２８が表示面に直交して配置される状態を指すこともできる。この例では、開閉機構として、開ける際に前側に前方パネル２５の上側を倒し、閉める際にその逆の動作を行わせるような機構を採用することができる。なお、上述した直交とは厳密に９０度には限定されず、９０度前後にある程度の幅のある角度が許容される。
【００３７】
また、図５で例示するように、携帯端末装置３は、第二表示部４２の表示面４２ａを上向きにして前方パネル２５に載置させることで充電されるような構造を採用することができる。そのため、携帯端末装置３は、表示面４２ａと反対側の面寄りに受電部４６を内蔵しておくなどすればよい。
【００３８】
そして、本実施の形態において、第一表示制御部１２は、図４の表示面２２ａで例示したように、蓋部２８が第二状態である場合に、第一表示部２２へ情報を表示させる制御を行う。第二状態であるか第一状態であるかは、パネル動作制御部１４の制御内容から判定することができ、或いは上述したセンサを設けておけばその検知結果などで判定することもできる。
【００３９】
また、充電制御部１６は、蓋部２８が第二状態で且つ蓋部２８に携帯端末装置３が載置された場合、載置された携帯端末装置３への充電処理を行うよう（給電を開始するよう）送電部２６を制御する。なお、この場合、蓋部２８が第二状態であるか第一状態であるかの判定を実行してもよいが、この判定を実行しなくても携帯端末装置３が載置されたことが判定できればよい。第二状態にならないと携帯端末装置３が載置できないためである。
【００４０】
また、図６で例示するように、情報表示装置１は、例えば、自動車の車内のダッシュボード６３などに設置することができる。なお、図６において、６１はウインドシールド、６２はリアビューミラー、６４はインストルメントパネル、６５はステアリングホイールである。
【００４１】
次に、図７を併せて参照しながら、情報表示装置１で実行される処理例について説明する。図７は、情報表示装置１で実行される処理の一例を説明するためのフロー図である。ここで、情報表示装置１の利用開始時は、第一状態であることを前提として説明するが、これに限ったものではない。利用開始時とは、情報表示装置１の電源がオンとなった時などとすることができる。
【００４２】
まず、パネル動作制御部１４（又は制御部１０）は、第一状態から第二状態へ移行したか否かを判定する（ステップＳ１０１）。第一状態から第二状態へは、例えば、情報表示装置１が起動した場合に自動的に移行するようにしておくことができる。或いは、第一状態から第二状態へ移行させるようなユーザ操作が受け付けられるまでは、第一状態を維持し、ユーザ操作が受け付けられた場合、第二状態に移行するようにすることもできる。このようなユーザ操作としては、例えば、ユーザが電気的スイッチを押した場合、又はユーザが前方パネルを押したことを検出した場合などが挙げられる。
【００４３】
ステップＳ１０１でＹＥＳの場合、第一表示制御部１２は、第一表示部２２に情報を表示させ、これにより情報表示が開始される（ステップＳ１０２）。ここで表示される情報は任意とすることができる。例えば、情報表示装置１のメニュー画像、情報表示装置１が備えるオーディオコンテンツ再生画像、情報表示装置１が備えるナビゲーション画像などを、第一表示部２２に表示させることができる。或いは、携帯端末装置３との通信により、携帯端末装置３で機能しているオーディオコンテンツ再生画像、携帯端末装置３で機能しているナビゲーション画像などを、第一表示部２２に表示させることもできる。なお、ステップＳ１０１でＮＯの場合、処理を終了する。
【００４４】
ステップＳ１０２に続き、充電制御部１６は、携帯端末装置（単に端末装置とも称する）３の載置が検出されたか否かを判定する（ステップＳ１０３）。充電制御部１６は、例えば、送電部２６からの間欠送電に対する受電部４６からの信号検出により、携帯端末装置３が載置されていることを検出することができる。
【００４５】
ステップＳ１０３でＹＥＳの場合、充電制御部１６は充電処理を開始する（ステップＳ１０４）。ここで、充電処理とは、残電力を検出して満充電でなければ充電を行い、満充電の場合は充電を停止する処理とすることができる。この充電処理には、満充電以外に、温度異常時に充電を停止するような処理も含むことができる。
【００４６】
充電処理を開始した後、充電制御部１６は、携帯端末装置３の取り外しが検出（検知）されたか否かを判定する（ステップＳ１０５）。ステップＳ１０５では、送電部２６からの間欠送電に対する受電部４６からの信号が検出されない場合、携帯端末装置３が載置されなくなった（取り外された）と判定することができる。
【００４７】
ステップＳ１０３でＮＯの場合、並びにステップＳ１０５でＹＥＳの場合、パネル動作制御部１４（又は制御部１０）は、第二状態から第一状態へ移行したか否かを判定する（ステップＳ１０６）。ここでの判定方法もステップＳ１０１での判定方法と同様とすることができる。ステップＳ１０６でＹＥＳの場合、第一表示制御部１２は、第一表示部２２の表示を終了させ（ステップＳ１０７）、処理を終了する。一方で、ステップＳ１０６でＮＯの場合、ステップＳ１０３へ戻り、同様の処理が実行される。
【００４８】
以上に説明したように、本実施の形態に係る情報表示装置１によれば、情報を表示させながら携帯端末装置３を容易に充電させることが可能になる。つまり、この情報表示装置１では、携帯端末装置３を非接触で充電することが可能で且つ充電中に情報を表示させることが可能になる。
【００４９】
＜実施の形態２＞
実施の形態２に係る情報表示装置について、図８を併せて参照しながら説明する。図８は、本実施の形態に係る情報表示装置で実行される処理の一例を説明するためのフロー図である。本実施の形態に係る情報表示装置及び携帯端末装置は、図１及び図２で説明したものと基本的に同様の構成を有することができ、本実施の形態について情報表示装置１及び携帯端末装置３の構成に基づき説明する。本実施の形態においても、基本的に実施の形態１で説明した様々な例が適用できる。
【００５０】
実施の形態１では、例えば、図７のステップＳ１０２における第一表示部２２での表示内容は問わなかったが、本実施の形態では、同様の場面での表示内容を携帯端末装置３からの情報にするものである。
【００５１】
即ち、本実施の形態に係る第一表示制御部１２は、蓋部２８が第二状態である場合で且つ蓋部２８に携帯端末装置３が載置された場合、第一表示部２２に携帯端末装置３から受信した情報を表示させる。以下、携帯端末装置３から受信した情報を、携帯端末装置３に基づく情報と称する。
【００５２】
一方で、第一表示制御部１２は、蓋部２８が第二状態である場合で且つ蓋部２８に携帯端末装置３が載置されていない場合、第一表示部２２に携帯端末装置３に基づく情報以外の情報を表示させることができる。以下、携帯端末装置３に基づく情報以外の情報を、情報表示装置１に基づく情報と称して説明する。
【００５３】
次に、図８を併せて参照しながら、本実施の形態に係る情報表示装置１で実行される処理例について、図７の処理例との相違点を中心に説明する。なお、図８のステップＳ２０１〜Ｓ２０４，Ｓ２０６，Ｓ２０８，Ｓ２０９は、それぞれ図７のステップＳ１０１〜Ｓ１０４，Ｓ１０５，Ｓ１０６，Ｓ１０７と同様である。
【００５４】
携帯端末装置３が載置されてステップＳ２０４で充電処理開始が開始された後、第一表示制御部１２は、第一表示部２２に携帯端末装置３に基づく情報を表示させる制御を行う（ステップＳ２０５）。この制御に際し、制御部１０は、例えば、第一通信制御部１７に指示して第一通信部２７を介して当該情報を携帯端末装置３から受信させる制御を行う。なお、ステップＳ２０５の処理後（表示開始後）は、ステップＳ２０６の処理がなされる。
【００５５】
携帯端末装置３に基づく情報は、例えば、携帯端末装置３のナビゲーション機能によるナビゲーション画像とすることができる。携帯端末装置３のナビゲーション機能は、携帯端末装置３に、例えばＡｐｐｌｅ  ＣａｒＰｌａｙ（登録商標）、Ａｎｄｒｏｉｄ  Ａｕｔｏ（登録商標）などのアプリケーションをインストールすることで実現させることができる。
【００５６】
特に、情報表示装置１にナビゲーション機能がない場合や、情報表示装置１にナビゲーション機能がある場合であっても携帯端末装置３のナビゲーション機能を利用したい場合などに有益となる。第一表示部２２に携帯端末装置３のナビゲーション機能によるナビゲーション画像を表示させ、その画像に対する操作を情報表示装置１の第一操作部２３で受け付け可能にしておくことができる。第一操作部２３で受け付けた操作情報を携帯端末装置３に第一通信部２７を介して送信して、その応答を受信することで、このような処理が実現できる。
【００５７】
また、他の例として、携帯端末装置３に基づく情報は、例えば、携帯端末装置３で再生されるコンテンツ画像とすることもできる。ユーザが情報表示装置１のコンテンツ再生表示に代えて携帯端末装置３のコンテンツ再生表示を利用したい場合に有益となる。
【００５８】
また、情報表示装置１は、携帯端末装置３に基づく情報を表示する場合、予め定められた情報（例えばナビゲーション画像、コンテンツ画像など）を表示するように設定可能に構成することもできる。その設定内容に従い、携帯端末装置３に情報を要求することで、設定された情報を第一表示部２２に表示させることができる。
【００５９】
一方で、ステップＳ２０３でＮＯの場合、つまり携帯端末装置３が載置されていない場合には、第一表示制御部１２は、第一表示部２２に情報表示装置１に基づく情報を表示させる制御を行う（ステップＳ２０７）。これにより、例えば第一記憶部２１に記憶されたコンテンツ画像、或いは情報表示装置１のナビゲーション機能によるナビゲーション画像などを第一表示部２２に表示させることができる。なお、ステップＳ２０７の処理後（表示開始後）は、ステップＳ２０８の処理がなされる。
【００６０】
以上に説明したように、本実施の形態によれば、実施の形態１による効果に加え、容易に携帯端末装置３の機能を情報表示装置１の第一表示部２２（及び第一操作部２３）で実現させることができる。
【００６１】
＜実施の形態３＞
実施の形態３に係る情報表示装置について、図９を併せて参照しながら説明する。図９は、本実施の形態に係る情報表示装置で実行される処理の一例を説明するためのフロー図である。本実施の形態に係る情報表示装置及び携帯端末装置は、図１及び図２で説明したものと基本的に同様の構成を有することができ、本実施の形態について情報表示装置１及び携帯端末装置３の構成に基づき説明する。本実施の形態においても、基本的に実施の形態１，２で説明した様々な例が適用できる。
【００６２】
本実施の形態においては、携帯端末装置３は第二操作部４３を備え、情報表示装置１は第一操作部２３及び第一操作制御部１３を備える。第一操作制御部１３は、第一表示部２２に表示された情報が情報表示装置１又は携帯端末装置３のいずれに基づく情報であっても、その情報に対する操作を制御する（その情報の操作処理を行う）。
【００６３】
第一操作制御部１３は、蓋部２８が第二状態である場合で且つ蓋部２８に携帯端末装置３が載置されていない場合、第一操作部２３によるタッチ操作を上記操作として制御する。例えば、第一操作制御部１３は、前方パネル２５が第二状態の場合で前方パネル２５に携帯端末装置３が載置されていない場合は、第一操作部２３に基づくタッチ操作を有効としておけばよい。
【００６４】
また、第一操作制御部１３は、蓋部２８が第二状態である場合で且つ蓋部２８に携帯端末装置３が載置された場合、携帯端末装置３の第二操作部４３によるタッチ操作を上記操作として制御する。例えば、第一操作制御部１３は、前方パネル２５が第二状態である場合で前方パネル２５に携帯端末装置３が載置された場合は、載置された携帯端末装置３に基づくタッチ操作を有効としておけばよい。図５で例示したように、携帯端末装置３を第二表示部４２の表示面４２ａを上向きにして前方パネル２５に載置させることで、表示面４２ａ上でのタッチ操作を第二操作部４３で受け付けることができる。
【００６５】
第二操作部４３によるタッチ操作を有効とするためには、例えば、第一操作制御部１３は、第一通信制御部１７を介して第一通信部２７から第二操作部４３でのタッチ操作の情報を受信できるようにしておけばよい。この場合、第二操作部４３も可動状態を維持しておけばよい。なお、携帯端末装置３に基づくタッチ操作を有効とする場合にも、同時に、第一操作部２３に基づくタッチ操作を有効にしたままの状態を維持しておくこともできる。
【００６６】
但し、第一操作制御部１３は、蓋部２８が第二状態である場合で且つ携帯端末装置３が載置された場合、第一操作部２３によるタッチ操作を無効にしておくことが、指により表示画像が隠れるような操作を防止できるため好ましい。特に、自動車に情報表示装置１を搭載した場合などに、安全性の観点から好ましいと言える。
【００６７】
次に、図９を併せて参照しながら、本実施の形態に係る情報表示装置１で実行される処理例について、図８の処理例との相違点を中心に説明する。なお、図９のステップＳ３０１〜Ｓ３０４，Ｓ３０６，Ｓ３０８，Ｓ３０９は、それぞれ図８のステップＳ２０１〜Ｓ２０４，Ｓ２０６，Ｓ２０８，Ｓ２０９と同様である。
【００６８】
携帯端末装置３が載置されてステップＳ３０４で充電処理開始が開始された後、第一操作制御部１３は、携帯端末装置３に基づくタッチ操作を有効にする（ステップＳ３０５）。第一表示部２２に表示された情報が携帯端末装置３又は情報表示装置１のいずれに基づく情報であっても、携帯端末装置３の第二操作部４３を用いて第一表示部２２に表示されたＧＵＩ（Graphical User Interface）を操作可能である。この場合、第二操作部４３は、第一表示部２２の縦横比に合わせた範囲を有効としてもよい。また、この場合、第二操作部４３はタッチ操作を受け付けているが、情報表示装置１側からの制御などにより、第二表示制御部３２が第二表示部４２での表示をオフにする。なお、ステップＳ３０５の処理後（表示開始後）は、ステップＳ３０６の処理がなされる。
【００６９】
一方で、ステップＳ３０３でＮＯの場合、つまり携帯端末装置３が載置されていない場合には、第一操作制御部１３は、第一操作部２３に基づくタッチ操作（情報表示装置１に基づくタッチ操作）を有効にする（ステップＳ３０７）。これにより、第一表示部２２に表示された情報が携帯端末装置３又は情報表示装置１のいずれに基づく情報であっても、情報表示装置１の第一操作部２３を用いて第一表示部２２に表示されたＧＵＩを操作することができる。なお、ステップＳ３０７の処理後（表示開始後）は、ステップＳ３０８の処理がなされる。
【００７０】
以上に説明したように、本実施の形態によれば、実施の形態１又は２による効果に加え、第一表示部２２に表示させた情報を、運転席側などからも容易に操作することができる。また、自分の手で第一表示部２２の表示内容を隠さないので、安全且つ容易に操作することができる。
【００７１】
＜他の実施の形態等＞
実施の形態１〜３では、図１に示す情報表示装置１の各部位の機能について説明したが、情報表示装置１としてこれらの機能が実現できればよい。また、実施の形態１〜３では、図２に示す携帯端末装置３の各部位の機能について説明したが、携帯端末装置３としてこれらの機能が実現できればよい。なお、実施の形態１〜３では、情報表示装置１と携帯端末装置３とが無線通信方式で通信することを前提として説明したが、無線通信方式に比べて接続の手間がかかるものの有線で接続するように構成することもできる。また、情報表示装置１を自動車内に設置することを前提として説明したが、情報表示装置はこれ以外の場所で利用することもできる。
【００７２】
また、情報表示装置１は、送電部２６で例示した非接触充電部を情報表示装置１の筐体１ａ側に備え、携帯端末３を筐体１ａ側に立てた状態で載置し充電処理を行うようにしてもよい。このような処理を行うような構成例（以下、構成例Ａ）について説明する。
【００７３】
構成例Ａに係る情報表示装置は、実施の形態１〜３において説明した情報表示装置１において、携帯端末装置を載置させた状態で携帯端末装置に充電を行う非接触充電部を、蓋部以外の部分に有する。また、構成例Ａにおける前方パネル２５は、前方パネル２５を閉めた状態でユーザ側を向く面に表示パネルを備えることができる。よって、第一表示制御部１２は、第一状態である場合に第一表示部２２への情報を表示させる制御を行う。
【００７４】
そして、構成例Ａにおける送電部２６は、前方パネル２５を開けた状態で、携帯端末装置３を筐体１ａ側に立てた状態で載置して充電処理を行う。そして、構成例Ａに係る情報表示装置１に適用する携帯端末装置３の第二表示部４２には、このような状態において、情報表示装置１に基づく情報を表示させ、情報表示装置１に基づく情報に対応したタッチ操作を行うようにすることができる。
【００７５】
以上の説明から分かるように、構成例Ａに係る情報表示装置は、
情報を表示する表示部と、
前記表示部における表示面をユーザに視認させるための第一状態と、前記表示面の裏面側に携帯端末装置を載置することが可能な第二状態と、の間で変化させる機構を有する蓋部と、
前記携帯端末装置を載置させた状態で前記携帯端末装置に充電を行う非接触充電部と、
前記表示部への情報表示を制御する表示制御部と、
前記非接触充電部による充電を制御する充電制御部と、
を備え、
前記充電制御部は、前記蓋部が前記第二状態で且つ前記蓋部に前記携帯端末装置が載置された場合、前記携帯端末装置への充電処理を行うよう前記非接触充電部を制御する、
情報表示装置である。
この場合、携帯端末装置は立てた状態で載置され、非接触充電部は情報表示装置の筐体側に備えられることが好ましい。
また、前記表示制御部は、前記蓋部が前記第一状態である場合に、前記表示部へ情報を表示させる制御を行うことができる。また、前記表示制御部は、前記蓋部が前記第二状態である場合に、前記表示部へ情報を表示させないようにする制御を行うことが好ましい。
【００７６】
また、構成例Ａに係る情報表示装置では、次のような携帯端末装置が有益に利用できる。即ち、この携帯端末装置は、表示部（第二表示部）と、前記蓋部が前記第二状態で且つ前記蓋部に前記携帯端末装置が載置された場合、前記情報表示装置から受信した情報を前記第二表示部へ表示させる制御を行う表示制御部（第二表示制御部）と、を有することができる。この場合、構成例Ａに係る情報表示装置は、携帯端末装置に当該情報を送信するように制御しておけばよい。
【００７７】
さらに、この携帯端末装置は、端末側表示面でのタッチ操作を受け付ける端末側操作部を備え、構成例Ａに係る情報表示装置は、前記表示面でのタッチ操作を受け付ける操作部と、前記表示部に表示された情報に対する操作を制御する操作制御部と、をさらに備えることが好ましい。そして、前記操作制御部は、前記蓋部が前記第二状態である場合で且つ前記蓋部に前記携帯端末装置が載置された場合、前記携帯端末装置の前記端末側操作部によるタッチ操作を前記操作として制御する。前記操作制御部は、前記蓋部が前記第一状態である場合には、前記操作部によるタッチ操作を前記操作として制御すればよい。これは携帯端末装置とは無関係に情報表示装置においてタッチ操作を行う場合に対応する。なお、前記操作制御部は、前記蓋部が前記第二状態である場合で且つ前記蓋部に前記携帯端末装置が載置されていない場合については、前記操作部によるタッチ操作を無効としておくようにすることもでき、それにより、ユーザが視認しない表示面での操作を無効にすることができる。
【００７８】
また、実施の形態１〜３に係る情報表示装置１は、次のようなハードウェア構成を有することができる。図１０は、情報表示装置１に含まれるハードウェア構成の一例を示す図である。なお、構成例Ａに係る情報表示装置についても同様である。
【００７９】
図１０に示す情報表示装置１００は、図示しない通信インタフェース及びユーザインタフェース（タッチセンサ等）などのインタフェース１０３とともに、プロセッサ１０１及びメモリ１０２を有する。上述した各実施の形態で説明した制御部１０は、プロセッサ１０１がメモリ１０２に記憶された制御プログラムを読み込んで実行することにより実現される。つまり、この制御プログラムは、プロセッサ１０１を図１の制御部１０として機能させるためのプログラムである。この制御プログラムは、図１の情報表示装置１に、制御部１０における処理を実行させるためのプログラムであると言える。なお、携帯端末装置３又は構成例Ａに対応する携帯端末装置に対してもこの説明を援用することができる。その説明は省略するが、例えば、携帯端末装置３は図示しない通信インタフェース及びユーザインタフェース（タッチセンサ等）などのインタフェース１０３とともに、プロセッサ１０１及びメモリ１０２を有することができる。
【００８０】
上述したプログラムは、様々なタイプの非一時的なコンピュータ可読媒体（non-transitory computer readable medium）を用いて格納され、コンピュータ（装置を含むコンピュータ）に供給することができる。ここで言う装置は、情報表示装置又は携帯端末装置を指す。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、この例は、ＣＤ−ＲＯＭ（Read Only Memory）、ＣＤ−Ｒ、ＣＤ−Ｒ／Ｗを含む。さらに、この例は、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８１】
さらに、上述した様々な実施の形態において、情報表示装置における情報表示処理や充電処理の手順を説明したように、本開示は、表示部及び蓋部を備えた情報表示装置における情報表示方法としての形態も採り得る。この情報表示方法は、次の表示ステップ及び充電ステップを含む。上記の表示ステップは、蓋部が第二状態である場合に、表示部へ情報を表示させる制御を行うステップである。上記の充電ステップは、蓋部が第二状態で且つ蓋部に携帯端末装置が載置された場合、携帯端末装置への充電処理を行うよう非接触充電部を制御するステップである。なお、その他の例については、上述した様々な実施の形態で説明した通りである。また、上述の制御プログラムは、情報表示装置に（例えば情報表示装置の制御部に）このような情報表示方法を実行させるためのプログラムであると言える。
【００８２】
なお、本開示は上記実施の形態に限られたものではなく、趣旨を逸脱しない範囲で適宜変更することが可能である。また、本開示は、それぞれの実施の形態を適宜組み合わせて実施されてもよい。
【符号の説明】
【００８３】
１，１００  情報表示装置
１ａ  筐体
３  携帯端末装置
１０  制御部
１１  第一コンテンツ制御部
１２  第一表示制御部
１３  第一操作制御部
１４  パネル動作制御部
１６  充電制御部（送電制御部）
１７  第一通信制御部
２１  第一記憶部
２２  第一表示部
２２ａ  表示面
２３  第一操作部
２４  前方パネル駆動部
２５  前方パネル
２６  送電部
２６ａ  位置
２７  第一通信部
２８  蓋部
３０  制御部
３１  第二コンテンツ制御部
３２  第二表示制御部
３３  第二操作制御部
３６  受電制御部
３７  第二通信制御部
４１  第二記憶部
４２  第二表示部
４２ａ  表示面
４３  第二操作部
４５  バッテリ
４６  受電部
４７  第二通信部
６１  ウインドシールド
６２  リアビューミラー
６３  ダッシュボード
６４  インストルメントパネル
６５  ステアリングホイール
１０１  プロセッサ
１０２  メモリ
１０３  インタフェース
【図１】
2020019454.tif 000003
【図２】
2020019454.tif 000004
【図３】
2020019454.tif 000005
【図４】
2020019454.tif 000006
【図５】
2020019454.tif 000007
【図６】
2020019454.tif 000008
【図７】
2020019454.tif 000009
【図８】
2020019454.tif 000010
【図９】
2020019454.tif 000011
【図１０】
2020019454.tif 000012